(57)【要約】【課題】  異種の光源を有する、または調光制御信号が異なる伝送経路で伝送される複数の照明器具の点灯タイミングの不一致を抑制可能な調光システムを提供する。【解決手段】  調光システム１は、調光信号を出力する操作装置１０，１１と、複数の照明器具２〜６と、個々の照明器具２〜６による照度を測定する照度測定手段９と、調光信号出力装置１２とを備え、調光信号出力装置１２は、調光信号に応じた調光制御信号を出力する主制御部１８と、照明器具２〜６毎に調光制御信号の出力時点から特定の照度比に到達するまでの遅延時間を演算し、選択された照明器具３の遅延時間を基準値として、照明器具２〜６に対する遅延時間と基準値との差分を補正用テーブルデータとして作成し保存する補正用テーブルデータ作成手段２３と、調光制御信号を照明器具２〜６側にそれぞれ補正用テーブルデータの差分に基づいたタイミングで出力する出力制御手段２４と、を有してなる。【選択図】図１
2014186811.tif 000002
【特許請求の範囲】
【請求項１】
調光操作レベルに応じた調光信号を出力する操作装置と；
この操作装置から出力された調光信号に応じた調光制御信号が異なる伝送経路を介して伝送されて光源の光出力が制御される、または異種の光源を有する複数の照明器具と；
個々の前記照明器具による被照射面の照度を測定可能な照度測定手段と；
前記操作装置から出力された調光信号に応じた調光制御信号を出力する主制御部と、前記調光信号に応じてそれぞれの前記照明器具の光源を点灯したときに前記照度測定手段が測定した照度に基づいて前記調光制御信号の出力時点から特定の照度比に到達するまでの遅延時間を演算し、選択された前記照明器具の前記遅延時間を基準値として、前記複数の照明器具に対する前記遅延時間と前記基準値との差分を補正用テーブルデータとして作成し保存する補正用テーブルデータ作成手段と、前記調光制御信号を前記複数の照明器具側にそれぞれ補正用テーブルデータの前記差分に基づいたタイミングで出力する出力制御手段と、を有して形成されている調光信号出力装置と；
を具備していることを特徴とする調光システム。
【請求項２】
前記補正用テーブルデータ作成手段は、最長の遅延時間よりも短い遅延時間を有する前記照明器具の遅延時間を基準値とし、この基準値よりも長い遅延時間を当該基準値とみなして前記差分を作成することを特徴とする請求項１記載の調光システム。
【請求項３】
前記補正用テーブルデータ作成手段は、最長の遅延時間に対応する前記照明器具において、特定の照度比よりも低い照度比に対する遅延時間を基準値とすることを特徴とする請求項１記載の調光システム。
【発明の詳細な説明】
【技術分野】
【０００１】
本発明の一実施形態は、調光信号の伝送経路が異なるか、または異種の光源が配設される複数の照明器具を備える調光システムに関する。
【背景技術】
【０００２】
舞台やスタジオ等の演出用の照明として、消費電力が小さく、長寿命であり、色光の選択ができる発光ダイオードを光源とする照明装置が用いられている。また、ハロゲンランプ（白熱ランプ）を光源とする照明装置も用いられている。そして、発光ダイオードおよびハロゲンランプは、操作器（操作装置）から出力される調光信号に応じて調光点灯されている。また、発光ダイオードおよびハロゲンランプは、それぞれの調光器を用いて調光点灯されている。
【０００３】
発光ダイオードおよびハロゲンランプを同一の場所で調光点灯させて使用する場合、発光ダイオードおよびハロゲンランプのそれぞれの調光曲線は異なっているので、ハロゲンランプの調光レベルの光出力比と同一となるように、発光ダイオードに流れる電流を調整して発光ダイオードの調光レベルを変更している（例えば特許文献１参照。）。
【先行技術文献】
【特許文献】
【０００４】
【特許文献１】特開２００４−３２７１５２号公報（第７頁、第７図）
【発明の概要】
【発明が解決しようとする課題】
【０００５】
しかしながら、発光ダイオードおよびハロゲンランプのそれぞれの立ち上がり曲線は異なり、また、それぞれの調光器により調光点灯されるので、操作器から調光信号が出力された時点から発光ダイオードおよびハロゲンランプが点灯開始するまでの時間および所定の照度比までの立ち上がり時間がそれぞれ異なり、点灯タイミングの不一致が発生するという問題がある。特に、通信の多様化に伴い、操作器から照明器具の間に、例えばイーサネット（登録商標）とＲＳ４８５の通信変換器やデータプロトコル、信号の合成装置などの中間機器が複数介在しており、照明器具毎に介在数が異なることにより、上記点灯タイミングの不一致が顕著に現れている。
【０００６】
本発明の実施形態は、異種の光源を有する、または調光制御信号が異なる伝送経路で伝送される複数の照明器具の点灯タイミングの不一致を抑制可能な調光システムを提供することを目的とする。
【課題を解決するための手段】
【０００７】
本実施形態の調光システムは、操作装置、複数の照明器具、照度測定手段および調光信号出力装置を有して構成される。
【０００８】
操作装置は、操作によって調光操作レベルに応じた調光信号を出力するものである。複数の照明器具は、操作装置から出力された調光信号に応じた調光制御信号が異なる伝送経路を介して伝送され、それぞれの光源の光出力が制御されものであり、または異種の光源を有するものである。照度測定手段は、個々の照明器具による被照射面の照度を測定可能なものであり、例えば照度計である。
【０００９】
調光信号出力装置は、主制御部、補正用テーブルデータ作成手段および出力制御手段を有して形成される。主制御部は、操作装置から出力された調光信号に応じた調光制御信号を生成して、当該調光制御信号を複数の照明器具側に出力するものである。
【００１０】
補正用テーブルデータ作成手段は、操作装置から出力された調光信号に応じてそれぞれの照明器具の光源を点灯したときに照度測定手段が測定した照度に基づいて調光制御信号の出力時点から特定の照度比に到達するまでの遅延時間を演算し、選択された照明器具の遅延時間を基準値として、複数の照明器具に対する遅延時間と基準値との差分を補正用テーブルデータとして作成し保存するものである。
【００１１】
出力制御手段は、主制御部から出力される調光制御信号を複数の照明器具側に、それぞれ補正用テーブルデータの差分に基づいたタイミングで出力するものである。
【発明の効果】
【００１２】
本実施形態の調光システムによれば、調光信号出力装置の主制御部から出力される調光制御信号は、複数の照明器具側にそれぞれ補正用テーブルデータの差分に基づいたタイミングで出力されるので、調光制御信号が異なる伝送経路を介して伝送されて光源の光出力が制御される、または異種の光源を有する複数の照明器具は、その光源が特定の照度比で点灯するタイミングを一致できることが期待できる。
【図面の簡単な説明】
【００１３】
【図１】本発明の一実施形態を示す調光システムの概略ブロック図である。
【図２】同じく、調光信号出力装置の概略ブロック図である。
【発明を実施するための形態】
【００１４】
以下、本発明の一実施の形態について、図面を参照して説明する。まず、本発明の第１の実施形態について説明する。
本実施形態の調光システム１は、図１に示すように、複数の照明器具２〜６、調光制御装置７，８、照度測定手段としての照度計９、操作装置１０，１１および調光信号出力装置１２を有して構成されている。
【００１５】
複数の照明器具２〜６は、少なくとも２個がそれぞれ異種の光源を有するものであり、本実施形態では、照明器具２および照明器具４〜６がそれぞれ光源として発光ダイオード１３を有するＬＥＤ照明器具に構成され、照明器具３が光源としてハロゲンランプ１４を有する白熱用照明器具に構成され、それぞれ既知の構成により形成されている。また、複数の照明器具２〜６は、それぞれ１個または複数個が設けられている。また、本実施形態では、複数の照明器具２〜６にそれぞれチャンネル１〜５の番号が付与されている。
【００１６】
照明器具２および照明器具４〜６は、それぞれ内部に発光ダイオード１３を点灯する図示しない点灯装置を配設している。発光ダイオード１３は、電球や基板に実装された発光モジュールなど、その使用形態は問わない。そして、複数の照明器具２〜６は、それぞれ所定の色光を放射する。
【００１７】
調光制御装置７，８は、調光器とも称されているものであり、それぞれ照明器具３，４に対応して設けられている。すなわち、調光制御装置７は、照明器具３に接続され、調光制御装置８は、照明器具４に接続されている。そして、調光制御装置７，８は、調光信号出力装置１２から出力された調光制御信号をＤＭＸ信号で入力している。
【００１８】
調光制御装置７は、調光制御信号に応じて、図示しない交流電源から入力する交流電圧を位相制御し、この位相制御した交流電圧をハロゲンランプ１４に供給する既知の構成により形成されている。すなわち、調光制御装置７は、入力した調光制御信号に応じてハロゲンランプ１４の光出力（調光レベル）を制御する。
【００１９】
また、調光制御装置８は、入力した調光制御信号に応じたオンデューティを有するＰＷＭ信号を生成して、照明器具４の不図示の点灯装置に出力する既知の構成により形成されている。点灯装置は、ＰＷＭ信号のオンデューティに応じた調光レベルで発光ダイオード１３を点灯する。すなわち、調光制御装置８は、入力した調光制御信号に応じて発光ダイオード１３の光出力（調光レベル）を制御する。
【００２０】
なお、照明器具２、照明器具５および照明器具６は、それらの不図示の点灯装置が調光制御装置８と同様の機能を備えているものである。すなわち、照明器具２には、調光信号出力装置１２から出力された調光制御信号がＤＭＸ信号で入力される。照明器具２の点灯装置は、入力したＤＭＸ信号に応じて発光ダイオード１３の光出力（調光レベル）を制御して発光ダイオード１３を点灯させる。また、照明器具５には、調光制御信号がＤＭＸ信号で入力され、その点灯装置がＤＭＸ信号に応じて発光ダイオード１３の光出力（調光レベル）を制御して発光ダイオード１３を点灯させる。また、照明器具６には、調光制御信号がイーサネットプロトコルの信号で入力される。照明器具６の点灯装置は、イーサネットプロトコルの信号に応じて発光ダイオード１３の光出力（調光レベル）を制御して発光ダイオード１３を点灯させる。このように、照明器具３，４に対応して調光制御装置７，８が設けられ、照明器具２および照明器具５，６にそれぞれ対応してそれらの点灯装置に調光制御装置８の機能が設けられている。
【００２１】
照度計９は、個々の照明器具２〜６によって照明される被照射面の照度を測定する照度測定手段であり、照度を測定するときに、例えば照明器具２〜６の直下の被照射面に設置される。照度は、個々の照明器具２〜６毎に測定される。照度計９は、測定した照度を電圧値に変換して出力するように形成されている。そして、照度計９は、調光信号出力装置１２に接続され、測定した照度を調光信号出力装置１２に出力する。なお、照度計９に限らず、被照射面の照度と相関する測定値を検出するセンサ類を照度測定手段として用いてもよい。
【００２２】
操作装置１０，１１は、操作器とも称されるものであり、それぞれ手動操作される図示しないフェーダやエンコーダ等の操作子を備えている。そして、当該操作子の操作による調光操作レベルに応じた調光信号を調光信号出力装置１２に出力するように形成されている。なお、調光信号出力装置１２には、操作装置１０，１１のいずれか一方が接続されていてもよく、さらに、複数個の操作装置が接続されていてもよい。
【００２３】
操作装置１０，１１から出力される調光信号は、例えば２５６階調を有するＤＭＸ信号である。ＤＭＸ信号は、米国劇場技術協会（ＵＳＩＴＴ）が規格した演出分野などに用いられるデジタル信号であり、調光制御用の調光信号の規格として用いられているＤＭＸ５１２を指している。ＤＭＸ信号の０〜２５５階調は、ハロゲンランプ１４および発光ダイオード１３の調光レベル０〜１００％に対応している。
【００２４】
調光信号出力装置１２は、操作装置１０，１１から出力された調光信号（ＤＭＸ信号）を照明器具３のハロゲンランプ１４および照明器具２，４〜６の発光ダイオード１３を調光点灯させる調光制御信号に生成して、当該調光制御信号を出力するものである。ここで、調光制御信号は、操作装置１０，１１から出力されたＤＭＸ信号であってもよく、本実施形態では、調光制御信号としてＤＭＸ信号を出力する。
【００２５】
調光信号出力装置１２から出力されたＤＭＸ信号は、照明器具２に直接的に入力される。また、調光信号出力装置１２から出力されたＤＭＸ信号は、イーサネットプロトコルおよびＤＭＸ信号を双方向に変換するノード１５に入力される。そして、ノード１５から出力されたイーサネットプロトコルの信号（以下、イーサネット信号と称する。）は、スイッチングハブ１６によって、照明器具６およびイーサネットプロトコルおよびＤＭＸ信号の双方向変換器であるノード１７に入力される。ノード１７から出力されたＤＭＸ信号は、調光制御装置７，８および照明器具５に入力される。照明器具２，５および調光制御装置７，８は、ＤＭＸ信号を解析可能であり、照明器具６は、ＤＭＸ信号を解析することができず、イーサネット信号を解析可能となっている。調光制御信号をイーサネット信号で伝送することにより、大容量の調光制御信号を速く送信可能となっている。
【００２６】
複数の照明器具２〜６は、調光信号出力装置１２から出力される調光制御信号が異なる伝送経路で伝送されて、光源である発光ダイオード１３およびハロゲンランプ１４の光出力が制御されている。複数の照明器具２〜６は、既に設置されている、または適宜設置されるノード１５、スイッチングハブ１６およびノード１７などの設備に対応して設けられている。
【００２７】
調光信号出力装置１２は、図２に示すように、主制御部１８、記憶部１９、入力部２０、出力部２１および電源部２２を有して形成されている。また、図示しないディスプレイ画面等の表示部などを備えている。そして、主制御部１８、記憶部１９および入力部２０によって補正用テーブルデータ作成手段２３が形成され、主制御部１８、記憶部１９および出力部２１により出力制御手段２４が形成されている。電源部２２は、不図示の交流電源から直流電源を生成して、主制御部１８などに駆動電源を供給している。
【００２８】
主制御部１８は、マイコンを有して形成され、ＣＰＵ（中央処理装置）２５がＲＯＭ２６に記憶されているプログラムに基づいて各種演算や制御動作する。そして、主制御部１８は、操作装置１０，１１から調光信号（ＤＭＸ信号）を入力すると、当該調光信号に応じた調光制御信号、本実施形態ではＤＭＸ信号を出力部２１から照明器具２およびノード１５側に出力する。また、主制御部１８は、補正用テーブルデータを作成し、記憶部１９に記憶させる。補正用テーブルデータの作成は、当初に行われる。補正用テーブルデータは、個々の照明器具２〜６に対して操作装置１０，１１から出力された調光信号に応じた調光制御信号を出力部２１から出力するタイミングである。
【００２９】
補正用テーブルデータは、個々の照明器具２〜６の調光信号に対する照度をそれぞれ測定して作成される。まず、操作装置１０または操作装置１１において、複数の照明器具２〜６の一を選択する。例えば、最初に照明器具２を選択し、照明器具２の発光ダイオード１３を全光（１００％）点灯する調光信号（ＤＭＸ信号）を出力する。このとき、照度計９は、選択された照明器具２の直下の被照射面に設置される。
【００３０】
調光信号出力装置１２の主制御部１８は、プログラムに基づいて、調光制御信号として例えば２５５階調のＤＭＸ信号を出力部２１から出力させる。当該ＤＭＸ信号は、直接的に照明器具２に入力する。ここで、調光制御信号の一周期時間は、例えば２０ｍｓである。
【００３１】
照明器具２の点灯装置は、入力したＤＭＸ信号に応じて、発光ダイオード１３に全光点灯させる電流を供給する。発光ダイオード１３は、点灯し、調光レベル０％から１００％に立ち上がる。照明器具２の直下の照度は、発光ダイオード１３の調光レベルの立ち上がりに伴って増加していき、調光レベル１００％のときに最大の照度値になる。
【００３２】
そして、照明器具２の直下の照度は、照度計９により測定されて調光信号出力装置１２の入力部２０に入力され、入力部２０から主制御部１８に入力される。主制御部１８に入力される照度は、出力部２１からＤＭＸ信号（調光制御信号）を出力した時点から増加していき、前記最大の照度となる。
【００３３】
主制御部１８は、発光ダイオード１３の特定の調光レベルに対する照度比を当該調光レベル時に入力した照度を前記最大の照度で除して求めるとともに、調光制御信号（ＤＭＸ信号）を出力部２１から出力した時点から特定した調光レベルの照度比に到達するまでの遅延時間をそれぞれ演算する。ここで、特定の調光レベルは、例えば、０％から１０％間隔の調光レベルまたは２０％間隔の調光レベルとすることができる。また、特定の調光レベルは、１００％の調光レベルとしてもよい。また、主制御部１８は、照度比の演算において、入力した照度から調光レベル０％のときの照度を差し引く。すなわち、調光レベル０％のときは、発光ダイオード１３が消灯している状態であり、このときに照度計９が測定する照度値は、外光等であるので、特定の調光レベル毎に外光等による照度を入力した測定値から差し引くものである。そして、主制御部１８は、入力した照度をＲＡＭ２７に記憶させるとともに、演算した演算値もＲＡＭ２７に記憶させる。
【００３４】
こうして、照明器具２に対して、調光制御信号の出力部２１からの出力時点から発光ダイオード１３の特定の調光レベル（特定の照度比）に到達するまでの遅延時間が算出される。照明器具２は、調光制御信号が直接的に点灯装置に入力される。また、発光ダイオード１３は、消灯（調光レベル０％）から全光点灯（調光レベル１００％）にほぼ瞬時に立ち上がる。したがって、調光制御信号の出力時点から発光ダイオード１３が特定の調光レベル１００％に到達するまでの遅延時間は、点灯装置が調光制御信号を入力した時点から発光ダイオード１３に全光点灯させる電流を供給するまでの駆動時間とほぼ同一となり、本実施形態では、例えば１０ミリ秒（ｍｓ）である。
【００３５】
次に、操作装置１０または操作装置１１において、例えば、照明器具３を選択し、照明器具３のハロゲンランプ１４を全光（１００％）点灯する調光信号（ＤＭＸ信号）を出力する。このとき、照度計９は、選択された照明器具３の直下の被照射面に設置される。
【００３６】
主制御部１８は、照明器具２のときと同様にして照明器具３に対して、調光制御信号の出力時点からハロゲンランプ１４の特定の調光レベル（特定の照度比）に到達するまでの遅延時間を算出する。照明器具３は、図１に示すように、調光信号出力装置１２との間にノード１５、スイッチングハブ１６、ノード１７および調光制御装置７が介在している。
【００３７】
ノード１５は、例えば遅延時間２０ｍｓを要してＤＭＸ信号をイーサネット信号に変換して出力する。スイッチングハブ１６は、イーサネット信号をノード１７および照明器具６に分配して出力するのに例えば１０ｍｓを要している。ノード１７は、例えば遅延時間２０ｍｓを要してイーサネット信号をＤＭＸ信号に変換して出力する。また、調光制御装置７は、ＤＭＸ信号の入力後、例えば１０ｍｓを要してハロゲンランプ１４を点灯制御する。そして、ハロゲンランプ１４は、消灯（調光レベル０％）から全光点灯（調光レベル１００％）に例えば３０ｍｓを要して立ち上がる。したがって、照明器具３において、調光制御信号の出力時点からハロゲンランプ１４が特定の調光レベル１００％（特定の照度比１００％）に到達するまでの遅延時間は、本実施形態において９０ｍｓとなっている。
【００３８】
以下、順次、上記同様に、照明器具４〜６に対して、調光制御信号の出力時点から発光ダイオード１３の特定の調光レベル（特定の照度比）に到達するまでの遅延時間を算出する。照明器具４は、調光信号出力装置１２との間にノード１５、スイッチングハブ１６、ノード１７および調光制御装置８が介在している。調光制御装置８は、ＤＭＸ信号をＰＷＭ制御信号に変換して出力するのに例えば５ｍｓを要している。また、照明器具４の点灯装置は、例えば５ｍｓを要して発光ダイオード１３を点灯制御する。したがって、照明器具４において、調光制御信号の出力時点から発光ダイオード１３が特定の調光レベル１００％（特定の照度比１００％）に到達するまでの遅延時間は、本実施形態において６０ｍｓとなっている。
【００３９】
また、照明器具５は、調光信号出力装置１２との間にノード１５、スイッチングハブ１６およびノード１７が介在し、その点灯装置が例えば５ｍｓを要して発光ダイオード１３を点灯制御する。したがって、照明器具５において、調光制御信号の出力時点から発光ダイオード１３が特定の調光レベル１００％（特定の照度比１００％）に到達するまでの遅延時間は、本実施形態において５５ｍｓとなっている。また、照明器具６は、調光信号出力装置１２との間にノード１５およびスイッチングハブ１６が介在し、その点灯装置が例えば１０ｍｓを要して発光ダイオード１３を点灯制御する。したがって、照明器具６において、調光制御信号の出力時点から発光ダイオード１３が特定の調光レベル１００％（特定の照度比１００％）に到達するまでの遅延時間は、本実施形態において４０ｍｓとなっている。以下、特定の調光レベルを特定の照度比に読み替える。
【００４０】
こうして、複数の照明器具２〜６に対して、個々に特定の照度比（特定の調光レベル）に対する遅延時間が演算される。そして、本実施形態では、主制御部１８は、特定の照度比１００％に対する遅延時間において、最長の遅延時間を基準値とする。すなわち、複数の照明器具２〜６のうち、ハロゲンランプ１４を有する照明器具３が選択されて、この選択された照明器具３の遅延時間９０ｍｓを基準値とする。そして、主制御部１８は、個々の照明器具２〜６の遅延時間と基準値との差分を演算し、表１に示すように、当該差分を複数の照明器具２〜６に対する補正用テーブルデータとして作成し、記憶部１９に記憶させている。照明器具２〜６に対する差分は、それぞれ８０ｍｓ、０ｍｓ、３０ｍｓ、３５ｍｓ、５０ｍｓとなっている。表１において、複数の照明器具２〜６は、チャンネル１〜５で表記している。
【００４１】
【表１】
2014186811.tif 000003
【００４２】
こうして、補正用テーブルデータ作成手段２３により、補正用テーブルデータが作成される。この作成後、照度計９と調光信号出力装置１２の入力部２０との接続が外される。
【００４３】
そして、主制御部１８は、操作装置１０，１１から調光信号が入力されると、調光信号に応じた調光制御信号、本実施形態ではＤＭＸ信号を生成し、記憶部１９から補正用テーブルデータを読み出して、生成した調光制御信号を補正用テーブルデータの差分に基づいたタイミングで出力する。すなわち、照明器具３（チャンネル２）に対して調光制御信号を出力した後に、３０ｍｓの経過後に照明器具４（チャンネル３）に対する調光制御信号を出力し、３５ｍｓの経過後に照明器具５（チャンネル４）に対する調光制御信号を出力し、５０ｍｓの経過後に照明器具６（チャンネル５）に対する調光制御信号を出力し、８０ｍｓの経過後に照明器具２（チャンネル１）に対する調光制御信号を出力するように形成されている。
【００４４】
なお、上述したように、補正用テーブルデータ作成手段２３および出力制御手段２４は、主制御部１８（マイコン）を有して形成されるので、本発明の複数の照明器具２〜６の制御は、照明された結果で判断される。
次に、本発明の第１の実施形態の作用について述べる。
【００４５】
操作装置１０または操作装置１１から操作子の調光操作レベルに応じた調光階調を有する調光信号（ＤＭＸ信号）が出力されると、調光信号出力装置１２の主制御部１８は、当該調光信号に応じた調光制御信号、本実施形態ではＤＭＸ信号を演算するとともに、記憶部１９から補正用テーブルデータを読み出す。そして、演算した調光制御信号を出力部２１から補正用テーブルデータの差分に基づいたタイミングで出力する。すなわち、照明器具３に対する調光制御信号を出力し、この時点から３０ｍｓ、３５ｍｓ、５０ｍｓおよび８０ｍｓの経過後に、それぞれ照明器具４、照明器具５、照明器具６および照明器具２に対する調光制御信号を出力する。
【００４６】
調光制御信号が調光レベル１００％の信号であると、複数の照明器具２〜６に対する調光制御信号の出力時点から照度比１００％（調光レベル１００％）に到達するまでの遅延時間は、表１に示したように、それぞれ１０ｍｓ、９０ｍｓ、６０ｍｓ、５５ｍｓ、４０ｍｓである。すなわち、照明器具４は、照明器具３よりも３０ｍｓ早く照度比１００％に到達し、同じく、照明器具５，６，２は、それぞれ３５ｍｓ、５０ｍｓ、８０ｍｓ早く照度比１００％に到達する。したがって、照明器具４，５，６，１に対するそれぞれの調光制御信号を照明器具３に対する調光制御信号の出力時点からそれぞれ３０ｍｓ、３５ｍｓ、５０ｍｓ、８０ｍｓ遅延させて出力することにより、複数の照明器具２〜６は、ほぼ同じタイミングで照度比１００％に到達する。これにより、複数の照明器具２〜６の照度変化による違和感などが抑制される。
【００４７】
そして、調光制御信号が調光レベル１００％（照度比１００％）以外の信号であっても、複数の照明器具２〜６における当該照度比での点灯タイミングの不一致が抑制される。すなわち、特定の照度比１００％において、複数の照明器具２〜６自体は、照明器具４，５が最も短い前記遅延時間５ｍｓであり、照明器具３が最も長い前記遅延時間３０ｍｓであるので、照明器具２〜６自体間は、最大２５ｍｓの遅延時間差となっている。
【００４８】
これに対し、調光信号出力装置１２と複数の照明器具２〜６との間に介在するノード１５、スイッチングハブ１６、ノード１７、調光制御装置７または調光制御装置８のそれぞれの前記遅延時間は、例えば２０ｍｓ、１０ｍｓ、２０ｍｓ、１０ｍｓ、５ｍｓとなっており、それらの合計遅延時間は、複数の照明器具２〜６自体間の遅延時間差よりもかなり大きく、また、固定値となっている。したがって、複数の照明器具２〜６の点灯タイミングのばらつきは、調光制御信号が調光レベル１００％（照度比１００％）であるときと、大きく異なるものではない。
【００４９】
本実施形態の調光システム１によれば、調光制御信号は、複数の照明器具２〜６側にそれぞれ補正用テーブルデータの差分に基づいたタイミングで出力されるので、異種の光源である発光ダイオード１３またはハロゲンランプ１４を有するとともに、調光制御信号が異なる伝送経路を介して伝送される複数の照明器具２〜６は、変化される調光レベルでの点灯タイミングの不一致を抑制することができるという効果を有する。
【００５０】
なお、本実施形態において、補正用テーブルデータ作成手段２３は、特定の照度比１００％のときの差分を補正用テーブルデータとして、出力制御手段２４は、当該差分のタイミングで出力部２１から調光制御信号を出力させているが、これに限らず、補正用テーブルデータ作成手段２３は、例えば特定の照度比として１０％、２０％、…、７０％、８０％、９０％、１００％を設定し、それらのときの差分を算出して補正用テーブルデータとしてもよい。そして、出力制御手段２４は、調光制御信号に付与されている照度比（調光レベル）に最も近い特定の照度の差分に基づいたタイミングで調光制御信号を出力するものであってもよい。
【００５１】
また、複数の照明器具２〜６は、異種の光源である発光ダイオード１３およびハロゲンランプ１４を有しているが、これに限らず、同種の光源を有していて、当該光源の光出力を制御する調光制御信号が異なる伝送経路を介して伝送されるものであってもよい。すなわち、複数の照明器具２〜６は、少なくとも２個が調光制御信号の出力時点から特定の照度比までに到達する遅延時間が異なっているものであればよい。
また、操作装置１０，１１および調光信号出力装置１２は、一体の調光操作装置例えば調光卓に構成してもよい。
次に、本発明の第２の実施形態について説明する。
【００５２】
本実施形態は、第１の実施形態において、主制御部１８は、最長の遅延時間を有する照明器具３に対して、特定の照度比として１００％よりも低い照度比例えば７０％を設定し、調光制御信号の出力時点から照度比７０％に到達するまでの遅延時間例えば７０ｍｓを基準値とするものである。ここで、基準値は、他の照明器具２，４〜６の特定の照度比１００％における遅延時間よりも長くなるように設定される。すなわち、そのように、照明器具３の特定の照度比が設定される。そして、補正用テーブルデータ手段２３は、表２に示すように、個々の照明器具２〜６の遅延時間と基準値（７０ｍｓ）との差分を補正用テーブルデータとするものである。
【００５３】
【表２】
2014186811.tif 000004
【００５４】
本実施形態によれば、調光制御信号の照度比に対する複数の照明器具２〜６の点灯タイミングのばらつきを抑制し、基準値が設定される最長の遅延時間を有する照明器具３を除いた他の照明器具２，４〜６に対して、調光制御信号の照度比で点灯するまでの時間を短くすることができるという効果を有する。
次に、本発明の第３の実施形態について説明する。
【００５５】
本実施形態は、第１の実施形態において、主制御部１８は、特定の照度比１００％における複数の照明器具２〜６の遅延時間において、最長の遅延時間９０ｍｓよりも短い遅延時間を基準値とするものである。すなわち、本実施形態では、照明器具３〜５は、最長側の遅延時間を有する照明器具であり、照明器具３〜５の中で最も短い遅延時間を有する照明器具５が選択され、この選択された照明器具５の遅延時間５５ｍｓを基準値とする。そして、基準値よりも長い遅延時間を有する照明器具３，４に対して、それらの遅延時間を基準値とみなす。そして、補正用テーブルデータ手段２３は、表３に示すように、個々の照明器具２〜６の遅延時間と基準値（５５ｍｓ）との差分を複数の照明器具２〜６に対する補正用テーブルデータとするものである。
【００５６】
【表３】
2014186811.tif 000005
【００５７】
本実施形態によれば、調光制御信号の照度比に対する複数の照明器具２〜６の点灯タイミングのばらつきを抑制し、最長側の遅延時間を有する照明器具３〜５を除く他の照明器具２，６に対して、調光制御信号の照度比で点灯するまでの時間をさらに短くすることができるという効果を有する。
【００５８】
なお、本発明の上述した実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれるものである。
【符号の説明】
【００５９】
１…調光システム、  ２〜６…照明器具、  ９…照度測定手段としての照度計、  １０，１１…操作装置、  １２…調光信号出力装置、  １８…主制御部、  ２３…補正用テーブルデータ作成手段、  ２４…出力制御手段
【図１】
2014186811.tif 000006
【図２】
2014186811.tif 000007